(57)【特許請求の範囲】
【請求項１】
容器の口部に装着可能なキャップ本体と、該キャップ本体に取り付けられたストローと、を備えるストロー付きキャップにおいて、
前記キャップ本体には、
前記ストローが貫設された第１天壁部と、
該第１天壁部の下方に配設され、前記ストローの伸縮可能な下部を短縮状態で収納するストロー収納室が内側に形成されていると共に前記口部に装着可能な装着部が備えられた筒状部と、
が備えられており、
前記筒状部には、前記ストロー収納室の下端を閉塞する底蓋が脱着可能に装着され、
該底蓋が、連結材を介して前記キャップ本体に連結され、
前記筒状部は、上筒部と、該上筒部の下方に配設された前記装着部とが設けられ、
前記装着部は、有頂筒状をなし、内側に前記上筒部の下端部が貫設された円環状の第２天壁部と、該第２天壁部の外縁から垂下された周壁部とを有し、
前記上筒部は、前記周壁部よりも小径であり、該上筒部の下端部が前記口部よりも内側に位置し、且つ前記第２天壁部よりも下に位置していることを特徴とするストロー付きキャップ。
【請求項２】
請求項１に記載のストロー付きキャップにおいて、
前記キャップ本体が、少なくとも前記第１天壁部を備える第一部材と、少なくとも前記筒状部を備える第二部材と、に分離可能であることを特徴とするストロー付きキャップ。
【請求項３】
請求項１または２に記載のストロー付きキャップにおいて、
前記底蓋が前記筒状部に螺着されており、
前記連結材の前記底蓋側の端部にリング体が設けられ、
該リング体に、前記底蓋が底蓋中心軸線回りに回転可能に装着されていることを特徴とするストロー付きキャップ。
【請求項４】
請求項１から３のいずれか一項に記載のストロー付きキャップにおいて、
前記筒状部から離脱された前記底蓋には、前記口部から離脱された容器キャップが装着可能であることを特徴とするストロー付きキャップ。
【発明の詳細な説明】
【技術分野】
【０００１】
本発明は、ストロー付きキャップに関する。
【背景技術】
【０００２】
この種のキャップとして、従来、例えば下記特許文献１に記載されているような、有頂筒状のボトルキャップの天壁部にストローが貫設された構成が知られている。このストロー付きキャップによれば、ペットボトルの口部に上記したボトルキャップを装着させることで、ストローの下端部がペットボトル内に配置されるので、ペットボトル内の内容物をストローによって吸引することができる。
【先行技術文献】
【特許文献】
【０００３】
【特許文献１】実用新案登録第３０５４４５４号公報
【発明の概要】
【発明が解決しようとする課題】
【０００４】
しかしながら、上記した従来のストロー付きキャップでは、天壁部から下方に延びたストローの下部が長く嵩張るため、携帯しにくく、また、販売陳列時や保管時において広いスペースを必要とするという問題が存在する。また、ストローの下部が露出されているため、そのまま携帯すると不衛生になるおそれがある。
【０００５】
本発明は、上記した従来の問題が考慮されたものであり、小型で携帯しやすく、且つ、販売陳列時や保管時における省スペース化を図ることができ、さらに、衛生的に携帯することが可能なストロー付きキャップを提供することを目的としている。
【課題を解決するための手段】
【０００６】
本発明に係るストロー付きキャップは、容器の口部に装着可能なキャップ本体と、該キャップ本体に取り付けられたストローと、を備えるストロー付きキャップにおいて、前記キャップ本体には、前記ストローが貫設された第１天壁部と、該第１天壁部の下方に配設され、前記ストローの伸縮可能な下部を短縮状態で収納するストロー収納室が内側に形成されていると共に前記口部に装着可能な装着部が備えられた筒状部と、が備えられており、前記筒状部には、前記ストロー収納室の下端を閉塞する底蓋が脱着可能に装着され、該底蓋が、連結材を介して前記キャップ本体に連結され、前記筒状部は、上筒部と、該上筒部の下方に配設された前記装着部とが設けられ、前記装着部は、有頂筒状をなし、内側に前記上筒部の下端部が貫設された円環状の第２天壁部と、該第２天壁部の外縁から垂下された周壁部とを有し、前記上筒部は、前記周壁部よりも小径であり、該上筒部の下端部が前記口部よりも内側に位置し、且つ前記第２天壁部よりも下に位置していることを特徴としている。
【０００７】
このような特徴により、流通時や携帯時などの不使用時には、ストローの下部が縮小された短縮状態でストロー収納室に収納されており、そして、そのストロー収納室の下端が底蓋によって閉塞されている。
一方、使用する際には、まず、筒状部から底蓋を取り外してストロー収納室の下端を開放させ、短縮状態のストローの下部を伸長させてストロー収納室の下端から下方に向けて延在させる。その後、伸長させたストローの下部を容器の口部から容器内に挿入し、筒状部の装着部を口部に装着させる。これにより、ストローによって容器内の内容物が吸飲可能となる。このとき、底蓋は連結材を介してキャップ本体に連結されているので、底蓋は、筒状部から取り外されてもキャップ本体から分離されずに、連結材で吊持された状態となる。
【０００８】
また、本発明に係るストロー付きキャップは、前記キャップ本体が、少なくとも前記第１天壁部を備える第一部材と、少なくとも前記筒状部を備える第二部材と、に分離可能であることが好ましい。
これにより、当該ストロー付きキャップを洗浄する際、第一部材と第二部材とを分離させることにより、ストロー収納室からストローが引き抜かれ、ストロー収納室が空になると共にストローの下部が露出されるので、ストロー収納室の内周面やストローの下部が洗浄しやすくなる。
また、洗浄後或いは使用後には、まず、第一部材と第二部材とを分離させた状態にし、その後、第二部材の筒状部に底蓋を装着させ、ストロー収納室の下端を閉塞する。次に、ストローの下部を筒状部の上端からストロー収納室に挿入しつつ第一部材を第二部材に組み付ける。このとき、伸長状態のストローの下部が、ストロー収納室において縮小されていき、最終的に短縮状態になってストロー収納室に収納される。
【０００９】
また、本発明に係るストロー付きキャップは、前記底蓋が前記筒状部に螺着されており、前記連結材の前記底蓋側の端部にリング体が設けられ、該リング体に、前記底蓋が底蓋中心軸線回りに回転可能に装着されていることが好ましい。
これにより、筒状部に螺着された底蓋を底蓋中心軸線回りに回転させて脱着する際、底蓋が回転してもリング体が共回りしないので、連結体に捩れが生じない。
【００１０】
また、本発明に係るストロー付きキャップは、前記筒状部から離脱された前記底蓋に、前記口部から離脱された容器キャップが装着可能であることが好ましい。
これにより、ストロー付きキャップを容器の口部に装着させる際、口部から取り外した容器キャップを底蓋に装着させておくことで、容器キャップの紛失が防止される。
【発明の効果】
【００１１】
本発明に係るストロー付きキャップによれば、ストローの下部を短縮状態でストロー収納室に収納すると共に、そのストロー収納室の下端を底蓋によって閉塞することで、ストロー付きキャップを小型にすることができる。これにより、携帯しやすくなり、また、販売陳列時や保管時における省スペース化を図ることができる。また、ストローの下部がストロー収納室に収納されて底蓋で閉塞されているので、ストローの下部が外部に露出されず、当該ストロー付きキャップを衛生的に携帯したり保管したりすることができる。さらに、底蓋は、筒状部から取り外されても連結材を介してキャップ本体に連結されているので、底蓋の紛失を防止することができる。
【図面の簡単な説明】
【００１２】
【図１】本発明の第１の実施の形態を説明するためのストロー付きキャップの断面図である。
【図２】図１に示すＡ方向矢視図である。
【図３】本発明の第１の実施の形態を説明するためのストロー付きキャップの使用時の断面図である。
【図４】本発明の第２の実施の形態を説明するためのストロー付きキャップの断面図である。
【発明を実施するための形態】
【００１３】
以下、本発明に係るストロー付きキャップの第１、第２の実施の形態について、図面に基いて説明する。
【００１４】
［第１の実施の形態］
まず、本発明に係るストロー付きキャップの第１の実施の形態について、図１から図３に基いて説明する。
なお、本実施の形態では、ストロー付きキャップ１における下筒部６３（本発明の装着部に相当する。）の開口端側（図１における下側）を「下方」とし、その反対側（図１における上側）を「上方」とする。また、図１に示す符号Ｏは、ストロー付きキャップ１の中心軸線を示しており、以下、単に軸線Ｏと記す。また、この軸線Ｏ方向を、以下、単に「軸方向」と記し、軸線Ｏに直交する方向を、以下、単に「径方向」と記し、軸線Ｏ回りの方向を、以下、単に「周方向」と記す。また、後述する蓋体５６のヒンジ５６ａ側（図１における右側）を「後方」とし、その反対側（図１における左側）を「前方」とする。
【００１５】
図１に示すストロー付きキャップ１は、図３に示すペットボトル等の容器１０内に収容された内容物を飲むために使用される飲用具であり、特に携帯性に優れた携帯用飲用具である。このストロー付きキャップ１の概略構成としては、容器１０の口部１１に装着可能なキャップ本体２と、そのキャップ本体２に取り付けられたストロー３と、後述するキャップ本体２の筒状部６０に装着された底蓋４と、が備えられている。
【００１６】
キャップ本体２は、外観が略球状の部材であって、上下に分割可能な部材である。すなわち、キャップ本体２は、キャップ本体２の上側部分を構成する第一部材５と、キャップ本体２の下側部分を構成する第二部材６と、に分離可能となっている。
【００１７】
第一部材５には、ストロー３が貫設された天壁部５０と、その天壁部５０の上面を覆う略ドーム状の上壁部５１と、天壁部５０（第１天壁部）の外周部の下面から垂下された外筒部５２と、外筒部５２の内側に配設されていると共に天壁部５０の下面から垂下された内筒部５３と、が備えられている。
【００１８】
天壁部５０は、軸線Ｏに対して垂直に配設された板部である。この天壁部５０の中央部分には、ストロー３を貫通させた状態で保持するストロー保持部５４が形成されている。ストロー保持部５４は、前方側に向かって下向きに傾斜した傾斜壁部５４ａに、ストロー３が貫通する貫通孔５４ｂが形成された構成からなり、平面視において後述する上筒部６２の内側に配設されている。また、天壁部５０の中央部分には、内筒部５３の内側に向けて開放された貫通孔状の空気孔５０ａが形成されている。また、天壁部５０の後端部には、後述する蓋体５６のヒンジ５６ａを軸支する軸受け部５５が形成されている。また、天壁部５０の前端部には、後述する蓋体５６を脱着可能に係止する係止部５０ｂが設けられている。また、天壁部５０には、天壁部５０の上方に突出したストロー３の上部に下方側から当接する第一係合部５７が立設されている。第一係合部５７は、上記したストロー保持部５４の前方側に配設された壁部であり、上方に向かって前方側に傾斜されている。
【００１９】
上壁部５１は、上方に向けて膨出していると共に下端が天壁部５０の外縁に全周に亘って接続された略球面状の壁部であり、天壁部５０の上方に突出したストロー３の上部を内側に収納している。この上壁部５１には、ストロー３の上部を露出させるための開口５１ａが形成されていると共に、この開口５１ａを開閉する蓋体５６が取り付けられている。上記した開口５１ａは、前後方向に延在する帯状の開口であり、上壁部５１の後端部から前端部に亘って形成されている。
【００２０】
蓋体５６は、上壁部５１の上面に沿って円弧状に湾曲した帯状の板部であり、上記した開口５１ａの内側に配設されている。この蓋体５６の後端部には、上記した軸受け部５５に軸支されたヒンジ５６ａが設けられており、蓋体５６は、ヒンジ５６ａ回りに回転可能となっている。また、蓋体５６の前端部には、前方側に突出したフランジ部５６ｂが設けられていると共に上記した天壁部５０の係止部５０ｂに対して脱着可能に係止された係止部５６ｃが設けられている。
【００２１】
また、蓋体５６の裏面には、上記した天壁部５０の空気孔５０ａに挿入されて空気孔５０ａを閉塞する栓部５８が垂設されている。また、蓋体５６の裏面には、天壁部５０の上方に突出したストロー３の上部に上方側から当接する第二係合部５９が垂設されている。この第二係合部５９は、上記した第一係合部５７の前方に配設されている。
【００２２】
外筒部５２は、軸線Ｏを中心軸線にして軸方向に沿って延設された円筒形状の筒部である。
内筒部５３は、軸線Ｏを共通軸にして外筒部５２と同軸上に延設された円筒形状の筒部であり、この内筒部５３の下端は、外筒部５２の下端よりも下方に延在されている。内筒部５３の内周面には、後述する第二部材６を装着させるための雌ねじ５３ａが形成されている。
【００２３】
第二部材６は、上記した第一部材５の下側に組み付けられる部材であり、その概略構成としては、上記した天壁部５０の下方に配設された筒状部６０と、筒状部６０の外周に周設された外壁部６１と、が備えられている。
筒状部６０は、天壁部５０の下方に垂下されたストロー３の下部を短縮状態で収納するストロー収納室６９が内側に形成された筒体であり、後述する上筒部６２の内側及び下筒部６３の内側によってストロー収納室６９が形成されている。筒状部６０の概略構成としては、上記した内筒部５３に装着された上筒部６２と、上筒部６２の下方に配設された下筒部６３と、が備えられている。
【００２４】
上筒部６２は、軸線Ｏを中心軸線にして軸方向に沿って延設された円筒形状の筒部であり、上記した内筒部５３の下端から内筒部５３の内側に挿入されている。この上筒部６２の上部の外周面には、内筒部５３の雌ねじ５３ａに螺合される雄ねじ６２ａが形成されており、上筒部６２は内筒部５３に螺着されている。
【００２５】
下筒部６３は、図３に示す容器１０の口部１１に装着可能な有頂筒状の筒部であり、その概略構成としては、軸線Ｏに対して垂直に配設されていると共に内側に上筒部６２の下端部が貫設された円環状の天壁部６４（第２天壁部）と、天壁部６４の外縁から垂下された周壁部６５と、を備えている。
【００２６】
天壁部６４は、上筒部６２の下部の外周面から全周に亘って径方向外側に突出されたフランジ状の壁部であり、内筒部５３の下端面の下方に配設されている。
周壁部６５は、上筒部６２の下部の外周に周設された略円筒形状の筒部であり、軸線Ｏを中心軸線にして軸方向に沿って延設されている。この周壁部６５の内周面には、下筒部６３の内側に後述する底蓋４を装着させる雌ねじ６５ａが形成されている。この雌ねじ６５ａは、下筒部６３を図３に示す容器１０の口部１１の外周に装着させる雌ねじでもあり、後述する底蓋４の雄ねじ４１ａ及び図３に示す容器１０の口部１１の雄ねじ１１ａにそれぞれ螺合可能な雌ねじである。
【００２７】
外壁部６１は、下筒部６３の下端から上方に向かうに従い漸次拡径された略球面状の周壁部であり、この外壁部６１の上端部は、上記した外筒部５２の径方向外側に嵌合されている。この外壁部６１の外周面は、上記した上壁部５１の外周面と連続的に形成されており、これら外壁部６１と上壁部５１とが組み合わされて略球状に形成されている。
【００２８】
外壁部６１の内周面のうち、少なくとも前方部分及び後方部分には、下筒部６３の外周面に接続された板状のリブ６６がそれぞれ立設されている。また、外壁部６１の上部の外周面には、周方向に延在する凹溝６７が形成されている。この凹溝６７は、後述する装着リング７０が嵌合される凹部であり、全周に亘って形成されている。
【００２９】
底蓋４は、ストロー収納室６９の下端、つまり下筒部６３の下端を閉塞する蓋体であり、下筒部６３に脱着可能に装着されている。この底蓋４は、図３に示すように、下筒部６３から離脱されたとき、容器１０の口部１１から離脱されたボトルキャップ１２（容器キャップ）が装着可能である。詳しく説明すると、底蓋４には、下筒部６３（ストロー収納室６９）の下端を閉塞する閉塞部４０と、閉塞部４０の上面に立設されて下筒部６３の内側に螺着された装着部４１と、閉塞部４０の下面に突設された摘み部４２と、が備えられている。
【００３０】
閉塞部４０は、軸線Ｏに対して垂直に配設された円形状の板部であり、下筒部６３の下端面に当接されている。装着部４１は、軸線Ｏを共通軸にして下筒部６３の下部と同軸上に配設された円筒形状の筒部であり、装着部４１の外周面には、下筒部６３の雌ねじ６５ａに螺合された雄ねじ４１ａが形成されている。摘み部４２は、閉塞部４０の下面に垂直に突設された平面視十字状のリブであり、側面視円弧状に形成されている。
【００３１】
また、上記した底蓋４が、連結材７を介してキャップ本体２に連結されている。詳しく説明すると、連結材７は、外壁部６１に装着された装着リング７０と、装着リング７０と底蓋４とを連結する帯体７１と、を備えている。
【００３２】
装着リング７０は、上記した外壁部６１の凹溝６７に嵌め込まれた円環状のリング体であり、装着リング７０の外周面は、外壁部６１の外周面と面一に形成されている。なお、装着リング７０は、凹溝６７に嵌め込まれて外壁部６１に装着された平面視Ｃ字状のＣリングであってもよい。
【００３３】
帯体７１は、長手方向に連続してジグザグに屈曲された伸縮可能な帯体であり、外壁部６１の外周面に沿って延設されている。この帯体７１の一端（上端）は、上記した装着リング７０に一体に接続され、帯体７１の他端（下端）は、底蓋４の閉塞部４０の外縁に一体に接続されている。
【００３４】
ストロー３は、弾性変形可能な軟質のチューブであり、天壁部５０に取り付けられて天壁部５０の上方に配設された第一チューブ３０と、第一チューブ３０の下端に連結されて天壁部５０の下方に配設された第二チューブ３１と、からなる。
【００３５】
第一チューブ３０は、天壁部５０のストロー保持部５４に貫設されたチューブであり、第一チューブ３０の中間部には、外周面が縮径されたクビレ部３２が形成され、このクビレ部３２が、上記したストロー保持部５４の貫通孔５４ｂに挿通されている。また、第一チューブ３０は、ストロー保持部５４の貫通孔５４ｂの上端から前方側に傾いて突出されており、この貫通孔５４ｂから天壁部５０の上方に突出された第一チューブ３０の上部は、互い違いに配設された第一、第二係合部５７，５９によって略Ｓ字状に屈曲されている。そして、第一チューブ３０の上部は、蓋体５６の裏面と第一係合部５７の上端との間、及び、天壁部５０の上面と第二係合部５９の下端との間でそれぞれ挟み込まれて圧潰されており、これら２箇所の圧潰部分でシールされている。
【００３６】
一方、貫通孔５４ｂから天壁部５０の下方に突出された第一チューブ３０の下部は、上記した上筒部６２の内側（ストロー収納室６９）に配設されており、この第一チューブ３０の下部の外周面には、全周に亘って突出された環状のフランジ部３３が形成されている。このフランジ部３３には、上下に貫通する貫通孔３３ａが形成されており、また、フランジ部３３の外周部は、全周に亘って天壁部５０の下面と上筒部６２の上端面との間に挟持されている。また、第一チューブ３０の下端部には、軸線Ｏを中心軸線にして軸方向に沿って延設された円筒形状の連結部３４が形成されている。
【００３７】
第二チューブ３１は、上記した連結部３４に連結された伸縮可能なチューブであり、短縮された状態で上記したストロー収納室６９に収納されている。具体的に説明すると、第二チューブ３１の上端部は、連結部３４の内側に嵌合されており、この連結部３４の下端から突出した第二チューブ３１は、筒状部６０内において互い違いに連続的に屈曲させて略波形状に折り畳まれている。
【００３８】
次に、上記した構成からなるストロー付きキャップ１の作用について説明する。
【００３９】
ストロー付きキャップ１を使用しない時（例えば流通時や携帯時など）には、図１に示すように、ストロー３の下部（第二チューブ３１）が折り畳まれた状態（短縮状態）でストロー収納室６９（筒状部６０の内側）に収納されていると共に、その筒状部６０（下筒部６３）に底蓋４が螺着されてストロー収納室６９の下端が閉塞されている。また、蓋体５６が閉じられて上壁部５１の開口５１ａが閉塞されており、ストロー３の上部（第一チューブ３０）が、第一、第二係合部５７，５９によって略Ｓ字状に屈曲された状態で上壁部５１内に収納されている。以上により、ストロー付きキャップ１は、図１、図２に示すように略球状に形成される。
【００４０】
一方、当該ストロー付きキャップ１を使用する際には、図３に示すように、まず、底蓋４を下筒部６３から取り外してストロー収納室６９の下端を開放させる。具体的に説明すると、底蓋４の摘み部４２を指等で摘んで、当該底蓋４をキャップ本体２（筒状部６０）に対して相対的に軸線Ｏ回りに回転させ、装着筒部６３に螺着された底蓋４を取り外す。これにより、折り畳まれた状態でストロー収納室６９に収納された第二チューブ３１が弾性によって復元され、第二チューブ３１の下部がストロー収納室６９の下端から突出される。このとき、第二チューブ３１が密着などにより完全に復元されない場合には、第二チューブ３１の下部を下方に引っ張って第二チューブ３１を伸長させる。
また、下筒部６３から取り外した底蓋４は、連結材７を介して外壁部６１に連結されているので、キャップ本体２から分離されずに、連結材７で吊持された状態となる。
【００４１】
次に、筒状部６０を容器１０の口部１１に装着させる。詳しく説明すると、まず、容器１０の口部１１からボトルキャップ１２を取り外した後、上述したように伸長させた第二チューブ３１の下部を容器１０の口部１１から容器１０内に挿入する。そして、口部１１の上端部に下筒部６３を被せた後、容器１０とストロー付きキャップ１とを相対的に軸線Ｏ回りに回転させ、口部１１の雄ねじ１１ａに下筒部６３の雌ねじ６５ａを螺合させて下筒部６３を口部１１に螺着させる。これにより、ストロー付きキャップ１が容器１０の口部１１に固定されると共にストロー３の下端部が容器１０内に配置される。なお、このとき、上筒部６２の下端部（下筒部６３の天壁部６４の内側から下向きに突出した貫設部分）が口部１１の内周面に密接されていることが好ましい。これにより、上筒部６２の下端部がインナーシールとして機能し、口部１１のシール性が向上する。
【００４２】
また、上記した容器１０の口部１１から取り外されたボトルキャップ１２は、底蓋４の装着部４１に装着させる。詳しく説明すると、有頂筒状のボトルキャップ１２の開口端の内側に底蓋４の装着部４１を挿入し、これらボトルキャップ１２と底蓋４とを相対的に底蓋４（ボトルキャップ１２）の中心軸線回りに回転させ、ボトルキャップ１２の内周面の雌ねじ１２ａと底蓋４の雄ねじ４１ａとを螺合させる。これにより、連結材７を介して吊持された底蓋４にボトルキャップ１２が装着される。
【００４３】
次に、上壁部５１の蓋体５６を開けて上壁部５１の開口５１ａを開放させる。詳しく説明すると、蓋体５６のフランジ部５６ｂに指等を掛けて押し上げる。これにより、蓋体５６の係止部５６ｃが天壁部５０の係止部５０ｂから外れる。そして、そのまま蓋体５６をヒンジ５６ａ回りに回動させて蓋体５６を開ける。これにより、栓部５８が空気孔５０ａから引き抜かれ、空気孔５０ａが開放される。また、第二係合部５９の先端が天壁部５０から離間すると共に、蓋体５６が第一係合部５７の先端から離間し、第一、第二係合部５７，５９によって略Ｓ字状に屈曲されたストロー３の上部（第一チューブ３０）が、弾性によって復元され、ストロー保持部５４の貫通孔５４ｂから前方側に向かって斜め上方に突出される。このとき、第一チューブ３０が密着などにより完全に復元されない場合には、第一チューブ３０の上部を引っ張って第一チューブ３０を伸長させる。
【００４４】
以上により、ストロー付きキャップ１は使用可能な状態となり、ストロー付きキャップ１によって容器１０内の内容物を飲むことが可能となる。すなわち、天壁部５０の上方に突出されたストロー３（第一チューブ３０）の上端部に口をつけて吸うことで、容器１０内の内容物がストロー３（第二チューブ３１）の下端からストロー３内を通って吸い上げられる。このとき、外気が、天壁部５０の空気孔５０ａ及びストロー３のフランジ部３３の貫通孔３３ａを通ってストロー収納室６９に流入する。このストロー収納室６９の下端は容器１０内に向けて開放されているので、容器１０内において内容物と空気とが置換される。これにより、内容物の吸い飲み時における容器１０内の減圧が抑えられ、内容物が容易に吸い上げられる。
【００４５】
また、ストロー付きキャップ１の使用後は、まず、蓋体５６をヒンジ５６ａ回りに回動させて閉める。これにより、ストロー３の上部が、第一、第二係合部５７，５９によって略Ｓ字状に屈曲された状態で上壁部５１内に収納されると共に、第一、第二係合部５７，５９によって圧潰されてシールされる。
【００４６】
次に、キャップ本体２を容器１０の口部１１から取り外す。具体的に説明すると、キャップ本体２と容器１０とを相対的に軸線Ｏ回りに回転させて口部１１の雄ねじ１１ａと下筒部６３の雌ねじ６５ａとの螺合を外し、口部１１から下筒部６３を取り外す。
【００４７】
次に、底蓋４からボトルキャップ１２を取り外した後、ストロー３の下部（第二チューブ３１）をストロー収納室６９に収納させ、そのストロー収納室６９を底蓋４で閉塞する。具体的には、ストロー３の下部（第二チューブ３１）を折り畳んで縮小させることで筒状部６０内に入れ込む。そして、連結材７を介して吊持された底蓋４を下筒部６３に螺着させて下筒部６３の下端を閉塞し、この底蓋４によって、折り畳んだ第二チューブ３１を押さえ込む。このとき、連結材７が伸縮可能であるので、底蓋４の引回しが可能であり、底蓋４は下筒部６３に容易に装着される。
【００４８】
なお、ストロー３の下部が折り畳みにくい場合には、第一部材５と第二部材６とを一旦分離させ、ストロー収納室６９からストロー３の下部を引き抜く。そして、下筒部６３に底蓋４を装着した後、上筒部６２の上端から第二チューブ３１をストロー収納室６９に挿入させながら当該第二チューブ３１を折り畳み、第一部材５を第二部材６に再び組み付ける。これにより、第二チューブ３１が折り畳みやすくなり、第二チューブ３１を縮小させた状態でストロー収納室６９に収納させる作業が容易となる。
【００４９】
また、ストロー付きキャップ１を洗浄する際には、第一部材５と第二部材６とを分離させる。すなわち、第一部材５と第二部材６とを相対的に軸線Ｏ回りに回転させ、上筒部６２に螺着された内筒部５３を上筒部６２から取り外すと共に、外筒部５２を外壁部６１の上端部内から引き抜く。これにより、第一部材５に取り付けられたストロー３の下部が、第二部材６側のストロー収納室６９から引き抜かれる。その結果、ストロー収納室６９が空になり、ストロー収納室６９の内周面が洗浄しやすくなると共に、ストロー３の下部が露出され、ストロー３の下部が洗浄しやすくなる。
【００５０】
そして、洗浄後は、まず、第二部材６側の下筒部６３に底蓋４を螺着してストロー収納室６９の下端を閉塞させる。その後、上筒部６２の上端から第二チューブ３１をストロー収納室６９に挿入させながら当該第二チューブ３１を折り畳み、上筒部６２の上部を内筒部５３の内側に螺着させる。これにより、第二チューブ３１が容易に折り畳まれてストロー収納室６９に収納される。
【００５１】
上記したストロー付きキャップ１によれば、ストロー３の下部を縮小させた短縮状態でストロー収納室６９に収納し、そのストロー収納室６９の下端を底蓋４によって閉塞することで、ストロー付きキャップ１を小型にすることができる。これにより、携帯しやすくなり、また、販売陳列時や保管時における省スペース化を図ることができる。また、ストロー３の下部がストロー収納室６９に収納されて底蓋４で閉塞されているので、ストロー３の下部が外部に露出されず、当該ストロー付きキャップ１を衛生的に携帯したり保管したりすることができる。
【００５２】
また、上記したストロー付きキャップ１によれば、使用前に取り外された底蓋４は、筒状部６０から取り外されても連結材７を介してキャップ本体２に連結されているので、底蓋４の紛失を防止することができる。さらに、この底蓋４にボトルキャップ１２を装着することができるため、ボトルキャップ１２の保管場所も確保できる。
【００５３】
また、上記したストロー付きキャップ１によれば、第一部材５と第二部材６とを分離させることにより、ストロー付きキャップ１を洗浄する際、ストロー収納室６９の内周面やストロー３の下部が洗浄しやすくなるので、ストロー付きキャップ１を容易に衛生的に保つことができる。
また、ストロー３の下部をストロー収納室６９に収納させる際、第一部材５と第二部材６とを一旦分離させ、筒状部６０（下筒部６３）に底蓋４を装着させた後、上筒部６２の上端からストロー収納室６９にストロー３の下部を挿入させつつ第一部材５を第二部材６に組み付けることで、手等を汚すことなく、ストロー３の下部をストロー収納室６９に容易に収納させることができる。
【００５４】
［第２の実施の形態］
次に、本発明に係るストロー付きキャップの第２の実施の形態について、図４に基いて説明する。
なお、上述した第１の実施の形態と同様の構成については、同一の符号を付し、説明を省略する。
【００５５】
上述した第１の実施の形態におけるストロー付きキャップ１では、連結材７が底蓋４と一体に形成されているが、本実施の形態におけるストロー付きキャップ１０１は、底蓋１０４と連結材１０７とが別体になっており、底蓋１０４が連結材１０７に対して相対的に軸線Ｏ回りに回転可能となっている。
【００５６】
詳しく説明すると、底蓋１０４には、閉塞部４０の下面から垂下された係止部４３が備えられている。この係止部４３は、後述する連結材１０７の連結リング７２（本発明のリング体に相当する。）を係止するための円環状の筒部であり、軸線Ｏを中心軸線にして軸方向に沿って延設されている。この係止部４３の外径は、閉塞部４０の外径よりも小さく、閉塞部４０の外周部は、係止部４３の外周面の径方向外側に全周に亘って突出されている。また、この係止部４３の内側に、平面視十字状の摘み部４２が形成されている。
【００５７】
一方、連結材１０７には、帯体７１の下端に一体に接続された連結リング７２が備えられている。この連結リング７２は、帯体７１を介して装着リング７０に連結された円環状のリング体であり、この連結リング７２に、底蓋４が底蓋中心軸線（図４においては軸線Ｏ）回りに回転可能に装着されている。詳しく説明すると、連結リング７２は、係止部４３の径方向外側に周方向に摺動可能に周設されていると共に当該係止部４３によって下側から係止されて抜け止めされている。なお、連結リング７２は、平面視Ｃ字状のＣリングであってもよい。
【００５８】
上記したストロー付きキャップ１０１によれば、下筒部６３に螺着された底蓋４を軸線Ｏ回りに回転させて脱着する際、底蓋４が回転しても連結リング７２が共回りしないので、連結体１０７の帯体７１に捩れが生じない。これにより、底蓋４をスムーズに脱着させることができ、操作性を向上させることができる。
【００５９】
以上、本発明に係るストロー付きキャップの実施の形態について説明したが、本発明は上記した実施の形態に限定されるものではなく、その趣旨を逸脱しない範囲で適宜変更可能である。
例えば、上記した実施の形態では、キャップ本体２の上壁部５１に蓋体５６が設けられているが、本発明は、上壁部５１や蓋体５６を省略することも可能であり、ストロー３の上部が露出された構成にすることも可能である。
【００６０】
また、上記した実施の形態では、ストロー３の下部（第二チューブ３１）が交互に折り曲げて波形状に折り畳まれた状態でストロー収納室６９に収納されているが、本発明は、ストローの伸縮構造は適宜変更可能である。例えば、ストローの下部をＵ字状に折り返した状態でストロー収納室６９に収納させることも可能であり、また、ストローの下部を蛇腹状に形成することで、ストローを折り曲げることなく伸縮させることも可能である。
【００６１】
また、上記した実施の形態では、外壁部６１が筒状部６０の下端に連結され、第二部材６に外壁部６１が備えられているが、本発明は、第一部材に外壁部が備えられていても良く、例えば、天壁部５０の外縁から外壁部６１が垂下された構成であってもよい。さらに、本発明は、上壁部５１を省略することも可能である。
【００６２】
また、上記した実施の形態では、底蓋４が下筒部６３に螺着されているが、本発明は、底蓋が上筒部６２の下端に装着されてもよい。また、底蓋は、筒状部に対して螺着以外の方法で装着させることも可能であり、例えば、下筒部６３の内側に圧入嵌合された底蓋であってもよい。
【００６３】
また、上記した実施の形態では、筒状部６０が、第一部材５の内筒部５３に装着された上筒部６２と、上筒部６２に連通されていると共に容器１０の口部１１に装着可能な下筒部６３と、からなり、これら上筒部６２及び下筒部６３の内側がストロー収納室６９となっているが、本発明は、他の形状の筒状部にすることも可能である。例えば、ストロー収納室が内側に形成された収納筒部と、その収納筒部の下部の外周に周設された装着筒部と、からなる筒状部にすることも可能である。この場合、上記した装着筒部が本発明における装着部となり、底蓋は、収納筒部の下端または装着筒部に装着される。
【００６４】
また、上記した実施の形態では、ペットボトル（容器１０）の口部１１に装着されるストロー付きキャップ１について説明しているが、本発明に係るストロー付きキャップは、ペットボトル以外の容器の口部に装着させることも可能であり、例えば、ガラス瓶の口部やパウチ容器の口部にストロー付きキャップを装着させることも可能である。
【００６５】
また、上記した実施の形態では、連結材７が、ジグザグに屈曲された帯体７１の端部に装着リング７０が設けられ、この装着リング７０が外壁部６１の外周に装着された構成となっているが、本発明は、他の構成からなる連結材であってもよい。例えば、外壁部６１の外周面に突起が突設され、その突起に係止される係止部が帯体７１の上端に設けられた連結材であってもよく、また、帯体７１の上端が外壁部６１の外周面に一体に接続されていてもよい。また、ジグザグに屈曲されてなく、平らな帯体からなる連結材であってもよく、さらに、例えば丸紐状や板状などのように帯状以外の連結材であってもよい。さらに、連結材は、外壁部６１以外のキャップ本体２に連結されていてもよく、例えば天壁部５０や上壁部５１等の第一部材５に連結されていてもよい。
【００６６】
また、上記した実施の形態では、キャップ本体２が、天壁部５０を有する第一部材５と筒状部６０を有する第二部材６とに分離可能な構成になっているが、本発明は、天壁部５０と筒状部６０とが一体に形成されたキャップ本体にすることも可能である。
また、上記した実施の形態では、底蓋４の装着部４１にボトルキャップ１２が装着可能となっているが、本発明は、底蓋４のうち、装着部４１以外の部分にボトルキャップ１２が装着可能にすることも可能であり、例えば、底蓋４の閉塞部４０の下面に、ボトルキャップ１２の内側に嵌合可能な筒状の摘み部が突設されていてもよい。さらに、本発明は、底蓋にボトルキャップ（容器キャップ）が装着できない構成にすることも可能である。
【００６７】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００６８】
１、１０１  ストロー付きキャップ
２  キャップ本体
３  ストロー
４、１０４  底蓋
５  第一部材
６  第二部材
７、１０７  連結材
１０  容器
１１  口部
１２  ボトルキャップ（容器キャップ）
５０  天壁部
６０  筒状部
６３  装着筒部（装着部）
６９  ストロー収納部
７２  連結リング（リング体）
【図１】
0005528031.tif 000002
【図２】
0005528031.tif 000003
【図３】
0005528031.tif 000004
【図４】
0005528031.tif 000005